(57)【要約】【課題】本考案は、腰掛けたときの肌触りが良好で、清潔で衛生的に優れ、便座シートの装着が容易で、ノリ残りなく再剥離性に優れており、容易に取替えができ、温度変化にも対応できる、極めて機能性に富んだ便座シートの提供を目的とする。【構成】本考案は、不織布層、好ましくは抗菌剤を配合した不織布層に、発泡樹脂層を積層し、この積層体の発泡樹脂側に水素化スチレン・ブタジエン系共重合体の粘着層を積層した複合積層体シートを、便座の形状に合わせて加工したことを特徴とする便座シートで、上記の課題を解決する。【選択図】図３
0003118805.tif 000002
【実用新案登録請求の範囲】
【請求項１】
便座シートにおいて、不織布層（Ａ）に、発泡樹脂層（Ｂ）を積層し、この積層体の（Ｂ）層側に水素化スチレン・ブタジエン系共重合体の粘着層（Ｃ）を積層した複合積層シートを、便座の形状に合わせて加工したことを特徴とする便座シート。
【請求項２】
不織布層（Ａ）に、抗菌剤を配合した請求項１に記載の便座シート。
【考案の詳細な説明】
【技術分野】
【０００１】  本考案は、便器における便座カバーの改良に関する。
【背景技術】
【０００２】  近年、水洗トイレが広く普及し、公共施設、職場、家庭において、洋式便器もめざましい進歩をとげている。
便座の使い捨てシート、カバー等は、いろいろ多く考案されてきたが、一部飛行機、ホテル等に見受けられる程度で、一般には未だ商品化されていない。【０００３】  従来の使い捨て便座カバーについては、素材が紙であるため滑るし、冷たく、心地よくない。また積層タイプの物、例えば実案文献１では、下層が汚れると、全部汚れてしまう欠点がある。【０００４】  便座との取り付け面に、部分接着の場合、例えば実案文献２は、腰掛けて体をねじると、接着しない部分が破れてしまう、又全面接着の場合は、捨てる際、体重で圧着した後なので、剥離が困難であり、ちぎれて便座本体に残り、剥離後の清掃が大変であった。【０００５】  主材のポリエチレン発泡体は、厚みが極薄くなると少しの刺激でさけてしまい、しかも、発泡密度を高くすると直接肌にあてるとベタつき、不快感を感じ直接利用には適さない。【０００６】  これらの欠点を改良した、不織布に、ポリエチレンを主材とする発泡シートを接合し、この接合面以外の面に便座との粘着層を形成した座り心地が良く、取替えが容易な便座カバー、例えば実案文献３があるが、適切な粘着層が見出されていない。
【実案文献１】
実開昭６３−２０２３９６号  公報
【実案文献２】
実開平０７−０２０９９５号  公報
【実案文献３】
実登３０２３２９４号  公報
【考案の開示】
【考案が解決しようとする課題】
【０００７】  本考案は、これらの従来の便座カバーを改良したものであり、不織布を用い、かつ特定の粘着層を用いることにより、清潔で衛生面に優れ、便座シートの装着が容易で、ノリ残りなく再剥離性に優れており、容易に取り替えができ、温度変化に対応でき、かつ簡単、安価に製造できる改良効果を見出した。
【課題を解決するための手段】
【０００８】  この目的を達成するため本考案は、便座シートにおいて、不織布層（Ａ）に、発泡樹脂層（Ｂ）を積層し、この積層体の（Ｂ）側に水素化スチレン・ブタジエン系共重合体の粘着層（Ｃ）を積層した複合積層シートを、便座の形状に合わせて加工したことを特徴とする、さらには不織布層（Ａ）に抗菌剤を配合したことを特徴とする便座シートを提供するものである。【０００９】  以下に本考案を更に詳細に説明する。
本考案で用いられる不織布層（Ａ）で、不織布は、ポリプロピレンの糸、ポリエチレンテレフタレートの糸、あるいは、心材がポリプロピレンでこれをポリエチレンで覆った糸などで構成された不織布であり、好ましくは、この不織布に銀系などの抗菌剤を配合することにより製造することができる。この不織布の好ましい目付け量は、１平方ｍ当たり１０〜１００ｇである。この層により、腰掛けたときの肌触りが良好で、清潔で衛生的に優れた効果が得られる。【００１０】  本考案で用いられる発泡樹脂層（Ｂ）は、通常市販されている発泡樹脂で構成され、例えばエチレン−酢酸ビニル共重合体（ＥＶＡ）、ポリエチレンやポリプロピレン等のポリオレフィン、塩化ビニル樹脂、ポリスチレン等のスチレン系樹脂、ＡＢＳ樹脂等の耐衝撃性熱可塑性樹脂、ポリアミド等の熱可塑性樹脂等を素材として用いた発泡樹脂が用いられる。この中で、ポリエチレンを主体とする発泡樹脂がより好ましい。この層により、クッション性及び保温効果が得られ、座り心地に優れる。【００１１】  本考案で用いられる粘着層（Ｃ）の原材料である水素化スチレン・ブタジエン系共重合体としては、リチウム系触媒による溶液重合により得られるスチレン・ブタジエン系ブロック共重合体またはスチレン・ブタジエン系ランダム共重合体を、水素添加した熱可塑性エラストマー性の樹脂を用いることができる。使用目的により、水素化スチレン・ブタジエン系共重合体の結合スチレン含有量及び水素添加率を適宜変えることができるが、粘着性および再剥離性の面から、水素化スチレン・ブタジエン系共重合体の結合スチレン含有量は５〜２５重量％が好ましく、さらに好ましくは１０〜２０重量％であり、水素化率は８０％以上が好ましく、さらに好ましくは９０％以上である。水素化スチレン・ブタジエン系共重合体を用いることにより、便座シートの装着が容易で、ずれのない特殊粘着性と取替え容易なノリ残りなく再剥離性に優れ、温度変化に対応できる効果を得ることができる。【００１２】  市販の好適な水素化スチレン・ブタジエン系共重合体として、ＪＳＲ製ダイナロン１３２０Ｐ（結合スチレン含有量１０重量％、水素化率９０％以上）等が挙げられる。【００１３】  また、特性を損なわない範囲で、ポリオレフィン系樹脂とブレンドして用いることができる。ポリオレフィン系樹脂のブレンド可能範囲は、粘着性と再剥離性の点から３０重量％未満である。ポリオレフィン系樹脂としては市販のポリプロピレン及びポリエチレンが挙げられる。好ましくは線状低密度ポリエチレンである。【００１４】  本考案に用いられる不織布層（Ａ）の目付け量は１平方ｍ当たり１０〜１００ｇが好ましく、発泡樹脂層（Ｂ）の厚さは０．５〜３ｍｍが好ましく、さらに粘着層（Ｃ）の厚さは０．０１〜０．０５ｍｍが好ましく、用途に応じて適宜選択される。【００１５】  本考案の便座シートを構成する素材には、使用の際の利便性から、他の樹脂を本考案の効果を損なわない範囲で加えることができる。この他に抗菌剤、老化防止剤、帯電防止剤、紫外線吸収剤、顔料、耐候剤、難燃剤、酸化防止剤、充填剤などの樹脂用添加剤を本考案の効果を損なわない範囲で加えることができる。【００１６】  また、本考案の複合積層���ートの好ましい製造方法は、押出しラミネート法であり、この方法により積層シート製造における作業性が改善され好ましい。【００１７】  また、本考案の複合積層シートを、便座の形状に合わせて便座シートに加工する方法としては、通常行われる打ち抜き法が好適に用いられる。
【考案の効果】
【００１８】  本考案では、不織布層（Ａ）を用い、好ましくは抗菌剤を配合した不織布を用いることにより、良好な肌触りに加え、いつも清潔で衛生的であり、発泡樹脂層（Ｂ）を用いることにより、座り心地に優れ、さらには粘着層（Ｃ）に水素化スチレン・ブタジエン系共重合体を用いることにより、便座シートの装着が容易で、ずれない特殊粘着性と取替え容易なノリ残りない再剥離性に効果を得ることができ、かつ温度変化にも対応でき、かつ簡単に安価に製造でき、極めて好ましい便座シートを得ることが出来る。
【産業上の利用可能性】
【００１９】  本考案は、便座シートとして好適に適用できる。
【考案を実施するための最良の形態】
【００２０】  以下に本考案の実験例及び実施例を示すが、本考案はこれらに限定されるものではない。
【実施例１】
【００２１】  不織布として、心材がポリプロピレンで、これに抗菌剤を練り込んだポリエチレンで覆った糸で構成された不織布（宇摩製紙社製、商品名Ａ−ＤＵＰ）を用い、これにポリエチレンを主材とする発泡樹脂シート（酒井化学工業製、商品名ミナホーム）を積層し、次いで該発泡樹脂シートの上に水素化スチレン・ブタジエン共重合体（ＪＳＲ製ダイナロン１３２０Ｐ：結合スチレン含有量１０重量％、水素化率９０％以上）を粘着層として積層して複合積層シートを製造した。この複合積層体シートの不織布の目付け量は１平方ｍ当たり２０ｇであり、発泡シートの厚さは１．０ｍｍであり、粘着層の厚さは０．０２ｍｍであった。この複合積層体シートを、便座の形に合わせて打ち抜き、図１に示す便座シートを製造した。【００２２】  この複合積層体シートは、薄くて柔らかく形に合わせてハサミでも容易に切断修正できる。得られた便座シートは、粘着層に特定の素材を用いたために容易に装着でき、またノリ残りなく再剥離でき、紙の便座シートのように破れることも無く、容易に取り替えることができる。また便座シート自体感触が暖かで柔らかくべたつかず快適なすわり心地である。さらには、肌に直接接する不織布には抗菌剤が配合されているために、清潔で衛生的である。
【実施例２】
【００２３】  粘着層にダイナロン１３２０Ｐにポリプロピレンを１０％配合した素材を用いた以外は、実施例１と同様にして、複合積層体シートを製造し、これを同様の方法で打ち抜いて便座シートを製造した。
結果は、実施例１と同様で優れたものであった。
【図面の簡単な説明】
【００２４】
【図１】本考案の便座シートの半片の平面図である。
【図２】図１のＡＡ断面図である。
【図３】本考案の便座シートの使用状態を示す傾斜図である。
【符号の説明】
【００２５】１  不織布層
２  発泡樹脂層
３  粘着層
４  便座シート
５  洋式便器
６  便座
【図１】
0003118805.tif 000003
【図２】
0003118805.tif 000004
【図３】
0003118805.tif 000005